(57)【要約】【課題】フェンスのコーナを含む部分でも１台の検知ユニットを設けるだけで検知可能となり、しかもフェンスと一体感があって意匠性に優れた防犯装置を提供する。【解決手段】フェンス１を乗り越えて侵入する侵入者を検知する防犯装置である。これにおいて、検知ユニットＡをセンサーを有する測定部Ａ１とコントローラを有する本体部Ａ２とで構成する。フェンス１の支柱３の上端に検知ユニットＡの測定部Ａ１を設置すると共に検知ユニットＡの本体部Ａ２を支柱３内に収納する。侵入者を検知するセンサーとして測距型センサー４を用いると共に測定部Ａ１に異方向の検知を行う一対の測距型センサー４を設ける。一対の測距型センサー４のうち一方の測距型センサー４を光軸の向きが変えられるように可動にする。【選択図】        図１
2005016114.tif 000002
【特許請求の範囲】
【請求項１】
フェンスを乗り越えて侵入する侵入者を検知する防犯装置において、検知ユニットをセンサーを有する測定部とコントローラを有する本体部とで構成し、フェンスの支柱の上端に検知ユニットの測定部を設置すると共に検知ユニットの本体部を支柱内に収納し、侵入者を検知するセンサーとして測距型センサーを用いると共に測定部に異方向の検知を行う一対の測距型センサーを設け、一対の測距型センサーのうち一方の測距型センサーを光軸の向きが変えられるように可動にしたことを特徴とする防犯装置。
【請求項２】
検知ユニットの測定部と本体部とは分離可能で、必要に応じてそれらの間にフェンス押さえ具を介装し得るようにしたことを特徴とする請求項１記載の防犯装置。
【請求項３】
フェンスのコーナ部の上端の上には検知ユニットの測距型センサーの光を反射するコーナ部検知体を配設したことを特徴とする請求項１または請求項２記載の防犯装置。
【発明の詳細な説明】
【０００１】
【発明の属する技術分野】
本発明は、フェンスを乗り越えて侵入者が侵入してきたとき、侵入者を検知して警報を発したりする防犯装置に関するものである。
【０００２】
【従来の技術】
従来、フェンスを乗り越えて侵入する侵入者を検知する防犯装置としては、家屋の周囲を取り囲むフェンスの対向する支柱において、一方の支柱に赤外線式検知器の投光器を他方の支柱に受光器を設けたものが一般的である（例えば、特許文献１参照）。この防犯装置では投光器と受光器との間で赤外線が遮断されたとき侵入者を検知して警報等を発するようになっている。
【０００３】
【特許文献１】
特開平２−２７０７２号公報
【０００４】
【発明が解決しようとする課題】
ところが、上記赤外線式検知器ではフェンスのコーナ部を含む部分で検知する場合、赤外線式検知器が２セット（送信器と受信器の合計４台）必要であるという問題がある。また従来例でフェンスを組み立て後に送信器や受信器やこれらのコントローラを後付けでフェンスに取り付けるために一体感という観点から意匠性の劣るものであった。
【０００５】
本発明は上記の点に鑑みてなされたものであり、フェンスのコーナを含む部分でも１台の検知ユニットを設けるだけで検知可能となり、しかもフェンスと一体感があって意匠性に優れた防犯装置を提供することを課題とするものである。
【０００６】
【課題を解決するための手段】
上記課題を解決するための本発明の防犯装置は、フェンス１を乗り越えて侵入する侵入者を検知する防犯装置において、検知ユニットＡをセンサーを有する測定部Ａ１とコントローラを有する本体部Ａ２とで構成し、フェンス１の支柱３の上端に検知ユニットＡの測定部Ａ１を設置すると共に検知ユニットＡの本体部Ａ２を支柱３内に収納し、侵入者を検知するセンサーとして測距型センサー４を用いると共に測定部Ａ１に異方向の検知を行う一対の測距型センサー４を設け、一対の測距型センサー４のうち一方の測距型センサー４を光軸の向きが変えられるように可動にしたことを特徴とする。
【０００７】
検知ユニットＡを支柱３に取り付けるとき、支柱１内に本体部Ａ２が収納されて測定部Ａ１だけが露出するように取り付けることができ、外に露出する部分が少なくフェンス１と一体感があっても意匠性に優れた外観になる。殊に測定部Ａ１を支柱３の天端キャップのような外観とすると、一層一体感があって意匠性に優れた外観となる。また侵入者の侵入の有無を測距型センサー４による測距にて検出するようになっていると共に測定部Ａ１に異方向の測距をする一対の測距型センサー４を有し、一方の測距型センサー４の光軸の向きが変えられるようになっていることにより、フェンス１のコーナの支柱３に１台の検知ユニットＡを取り付けるだけでフェンス１のコーナ部分の検知ができる。
【０００８】
また検知ユニットＡの測定部Ａ１と本体部Ａ２とは分離可能で、必要に応じてそれらの間にフェンス押さえ具５を介装し得るようにしたことを特徴とすることも好ましい。フェンス押さえ具５を介装したとき、支柱１の上端部に検知ユニットＡを取り付けるものでも支柱１にフェンス本体６を確実に取り付けることができる。
【０００９】
またフェンス１のコーナ部の上端の上には検知ユニットＡの測距型センサー４の光を反射するコーナ部検知体Ｂを配設したことを特徴とすることも好ましい。この場合、検知ユニットＡの測距型センサー４から光を投光して測距するときコーナ部検知体Ｂで反射されるためコーナ部を越えて測距して物体を検知することがなくなり、屋内側の物体による誤動作要因を減少させることができる。
【００１０】
【発明の実施の形態】
アルミニウム等で形成されるフェンス１は図１に示すように建物の周囲を囲むように立設されるものであって、地面に立設した支柱３にフェンス本体６を装着して形成されている。フェンス本体６は上下の横枠６ａと左右の縦枠６ｂとを枠組し、上下の横枠６ａ間に複数本の縦格子６ｃを架設して形成されている。
【００１１】
フェンス１の複数の支柱３のうち適宜の支柱３の上端部には検知ユニットＡが取り付けられるが、検知ユニットＡはセンサーを有する測定部Ａ１とコントローラを有する本体部Ａ２とで構成されている。測定部Ａ１はベース盤７と、ベース盤７に搭載した測距型センサー４と、キャップ状のカバー８とで主体が構成されている。測距型センサー４は測距することで侵入者の侵入を検知するものであり、発信部９と受信部１０とを有している。この測距型センサー４はベース盤７の上に一対搭載してあり、一対の測距型センサー４は夫々異なる方向の測距が行えるようになっている。一対の測距型センサー４のうち一方の測距型センサー４ａは固定であり、他方の測距型センサー４ｂは可動である。固定の測距型センサー４ａはベース盤７に動かないように固定してあり、光軸が所定方向を向いている。可動の測距型センサー４ｂはベース盤７に回転自在に装着した回転テーブル１１の上に搭載してあり、測距型センサー４ｂの光軸の向きを図３の矢印ａのように周方向に変えられるようになっている。回転テーブル１１の中央には筒部１２を上下に貫通するように設けてあり、筒部１２をベース盤７の下面側に露出させてあり、この筒部１２の下面側に露出した部分は測距型センサー４ｂの光軸の向きを変えるための回転操作つまみ１２ａとなっている。またベース盤７上の電気回路のリード線１３は筒部１２に挿通して筒部１２から下方に導出してある。
【００１２】
ベース盤７の上にはベース盤７上の部品を覆うようにカバー８を被せてあり、ベース盤７にカバー８を固定してある。ベース盤７の下面にはベース盤７を取り付けるための係止爪１５を下方に突設してある。ベース盤７にはベース盤７を取り付けるための取り付け穴１６を穿孔してあり、取り付け穴１６からカバー８の上面近くまでビスガイド筒１７を延出してある。ビスガイド筒１７の上端に対応する位置でカバー８には矩形状のビス操作用開口１８を設けてあり、このビス操作用開口１８を着脱自在な蓋１９にて閉塞してある。
【００１３】
検知ユニットＡの本体部Ａ２は上下に長い直方体状のケーシング２０とケーシング２０内に内装したコントローラにて主体が構成されている。ケーシング２０はケーシング本体２０ａとカバー体２０ｂとで構成されており、内部にコントローラを内装した状態でケーシング本体２０ａの正面板２１の上下の取り付け穴２２からビス２３をカバー体２０ｂに螺合することでケーシング２０を組み立ててある。このケーシング本体２０ａの正面板２１の上下端にはケーシング２０を取り付けるための取り付け穴２４を穿孔してあり、カバー体２０ｂの上端には一対の吊り下げレール２５を設けてある。正面板２１にはコントローラの報知部２６を露出させてある。
【００１４】
図２乃至図７に示す検知ユニットＡはフェンス１に取り付けるものであるため、操作部Ａ１と本体部Ａ２との間にフェンス押さえ具５とフェンス用取り付け基板２６を介して取り付けられるようになっている。フェンス用取り付け基板２６には上記筒部１２を挿通し得る挿通穴２７を穿孔してあり、また上記取り付け穴１６と対応するビス穴２８を穿孔してあり、また挿通穴２７の近傍には上記係止爪１５を係止し得る係止穴２９を穿孔してある。また挿通穴２７の近傍でフェンス用取り付け基板２６には取り付け穴３０を穿孔してある。フェンス用取り付け基板２６の下面から複数の係止爪３２を突設してある。またフェンス用取り付け基板２６の下面から一対の垂下片３３を垂下してあり、垂下片３３の下端には被吊り下げレール３４を設けてある。一対の垂下片３３間でフェンス用取り付け基板２６から一体に固定部３６が垂下してあり、この固定部３６にビス穴３７を穿孔してある。
【００１５】
フェンス押さえ具５は略逆Ｌ字状に形成され、一端に係止片３８を有している。このフェンス押さえ具５には矩形状の開口３９を有すると共に上記取り付け穴３０に対応する取り付け穴４０を穿孔してある。このフェンス押さえ具５はフェンス用取り付け基板２６の下に重ねられ、係止爪１５を開口３９縁に係止することによりフェンス用取り付け基板２６にフェンス押さえ具５を取り付けてある。そして開口３９に垂下片３３や固定部３６を挿通してある。
【００１６】
フェンス用取り付け基板２６の下にはフェンス押さえ具５を介して本体部Ａ２のケーシング２０が取り付けられる。このとき垂下片３３の下端の被吊り下げレール３４にケーシング２０の吊り下げレール２５が係合され、ケーシング２０の正面板２１の上端の取り付け穴２４からビス４２が固定部３６のビス穴３７に螺合されてケーシング２０を吊り下げるように取り付けられる。このとき、正面板２１の上端の取り付け穴２４から１つのビス４２を螺合するだけで取り付けるものでも吊り下げレール２５に被吊り下げレール３４を係止することでビス４２に荷重がかからなく、長期に亙って信頼性が高くなるように強固に取り付けることができる。
【００１７】
フェンス１の支柱３内には上下方向全長に亙って断面略Ｃ字状のタッピングホール４３を設けてあり、この支柱３の上端部に上記検知ユニットＡが次のように取り付けられる。本体部Ａ２に上記のようにフェンス押さえ具５やフェンス用取り付け基板２６を取り付けた状態で本体部Ａ２は支柱３の上端の開口から支柱３内に挿入され、フェンス押さえ具５の係止片３８がフェンス本体６に係止され、フェンス用取り付け基板２６の取り付け穴３０からフェンス押さえ具５の取り付け穴４０を介してタッピングホール４３にビス４５が螺入され、支柱３に本体部Ａ２、フェンス押さえ具５及びフェンス用取り付け基板２６が取り付けられる。このフェンス用取り付け基板２６の上には測定部Ａ１が載せられ、ベース盤７の係止爪１５がフェンス用取り付け用基板２６の係止穴２９に挿入係止される。そして蓋１９を外した状態でカバー８のビス操作用開口１８からビス４６がビスガイド筒１７を介して取り付け穴１６に挿通され、ビス４６がフェンス用取り付け基板２６のビス穴２８に螺合されてビス４６にても測定部Ａ１がフェンス用取り付け基板２６に取り付けられる。ビス４６を締結した後、ビス操作用開口１８には蓋１９が被着される。
【００１８】
上記のようにして要所の支柱３の上端に検知ユニットＡが図１に示すように取り付けられ、検知ユニットＡには電源ユニットから地中の地中配線４８、支柱３内の支柱内配線５０を介して給電されるようになっている。そして測距型センサー４の測距で侵入者の侵入が検知されると、警報等が発せられるようになっている。フェンス１の直線部の支柱３に設けられる検知ユニットＡでは固定の測距型センサー４ａの光軸に対して可動の測距型センサー４ｂの光軸が相反する向きに向けられる。またフェンス１のコーナー部に設けられる検知ユニットＡでは固定の測距型センサー４ａの光軸に対して可動の測距型センサー４ｂの光軸が直交する向きに向けられる。可動の測距型センサー４ｂは矢印ａに示す方向に回転する可能で任意の角度の変えられるようになっている。
【００１９】
またフェンス１のコーナ部の支柱３に検知ユニットＡが取り付けられ、検知ユニットＡの２個の測距型センサー４で測距して検知できるようになっていると、フェンス１のコーナ部に１個の検知ユニットＡを配置するだけでフェンス１のコーナ部での検知ができる。また上記のように検知ユニットＡの本体部Ａ２は支柱３内に収納され、キャップ状の測定部Ａ１が支柱３の上端に露出するように取り付けられるために測定部Ａ１を支柱３の天キャップと共用できる。このように検知ユニットＡを設けると、フェンス１と一体感のある外観となり、意匠性を向上できる。測定部Ａ１はフェンス１の天キャップとして用いるためには支柱３との意匠性を損なわないようにするためにコンパクト化が必要となるが、上記のように測距型センサー４ｂの回転操作摘み１２ａを筒部１２に設け、筒部１２にリード線１３を通すようにすると、省スペース化が図れてコンパクトにできる。また上記のように検知ユニットＡを取り付けるとき、フェンス押さえ具５も取り付けるのでフェンス押さえ具５にてフェンス本体６を確実に取り付けることができると共にフェンス１を組み立てるときの工数を削減することができる。
【００２０】
また測定部Ａ１のカバー８のビス操作用開口１８を蓋１９にて蓋してあるが、蓋１９とビス操作開口１８との隙間から雨水が測定部Ａ１内に浸入するおそれがあるが、これを防止するためにビス操作用開口１８の周縁に全周に亙って雨水避け溝５３を設けて測定部Ａ１内に雨水が浸入せず、たとえ雨水受け溝５３を越えてもビスガイド筒１７内の方に入るようになっている。さらにビスガイド筒１７の上端に外周程高くなる勾配面５４を設けてあり、この勾配面５４によっても雨水が測定部Ａ１内に入らず、入ってもビスガイド筒１７内の方に入るようになっており、測定部Ａ１の防水性を図ってある。
【００２１】
また検知ユニットＡがフェンスのコーナ部の検知を行う場合、測距型センサー４から投光される光がコーナ部を通過して屋外の物体に対して誤動作するおそれがあるが、これを防止するため図１０に示すようにフェンス１のコーナ部の上端の上には検知ユニットＡの測距型センサー４の光を反射するコーナ部検知体Ｂを配設してもよい。このようにすると、検知ユニットＡの測距センサー４に強制的にコーナ部検知体Ｂを検知させることで屋外の物体の誤検知を防止することができるようになっている。つまり、コーナ部検知体Ｂは検知ユニットＡの測距型センサー４により検出されるために本状態を初期状態として認識すれば、屋外の物体に対する誤動作は軽減する。云い返れば、電源投入時の測距距離を初期状態とし、それより近い距離の出力を検知した場合は、侵入者があったと認識するようになっている。上記コーナ部検知体Ｂは円柱形状とし、あらゆるコーナ角度においても測距型センサー４への確実に反射光が返る構造となっている。つまり、コーナ部検知体Ｂが円柱形状であるため、コーナ角度の異なる施工条件であっても確実に検知ユニットＡに反射する成分が生じ、初期学習を確実化することができる。
【００２２】
上記説明ではフェンス１の支柱３に検知ユニットＡを取り付ける場合について説明したが、以下、門扉５５に検知ユニットＡを取り付ける場合について説明する。門扉５５の外周は横框５５ａと縦框５５ｂとを枠組みすることで形成されているが、門扉５５の上端まで縦框５５ｂの上端が至るような縦勝ちの構造の場合、図１１、図１２に示すように検知ユニットＡを取り付ける。この場合、検知ユニットＡの測定部Ａ１と本体部Ａ２との間に上記のようなフェンス押さえ具５やフェンス用取り付け基板２６を介装する代わりに門扉用取り付け基板５６を介装してある。この門扉用取り付け基板５６はフェンス用取り付け基板２６と基本的に同じ構造であり、フェンス用取り付け基板２６が透孔３０を穿孔してあるのに対し、門扉用取り付け基板５６は下方に突出する固定片５７を垂下してある点が異なるだけである。この門扉用取り付け基板５６の下には本体部Ａ２が配置され、フェンス取り付け基板２６に対する取り付けと同様に門扉用取り付け基板５６の下に本体部Ａ２を取り付けてある。
【００２３】
門扉５５の縦框５５ｂに検知ユニットＡを取り付ける場合、本体部Ａ２が縦框５５ｂ内に挿入され、門扉用取り付け基板５６が縦框５５ｂの上端に載置され、縦框５５ｂからビス６０を固定片５７に螺入して取り付けられる。そして検知ユニットＡの測定部Ａ１は門扉用取り付け基板５６の上に載置され、フェンス１の支柱３の場合と同様に測定部Ａ１が取り付けられる。
【００２４】
門扉５５の縦框５５ｂの上端が門扉５５の上端に至らず、横框５５ａが左右方向の全長に亙っている横勝ちの門扉の場合は、図１３に示すように取り付けられる。この場合、検知ユニットＡの測定部Ａ１と本体部Ａ２との間に門扉用取り付け基板５６を介することなく、測定部Ａ１と本体部Ａ２とを分割してリード線１３にて接続した状態で取り付けられる。つまり、測定部Ａ１は横框５５ｂの上に載置され、ベース盤７を横框５５ａの上に直接固定することで取り付けられ、本体部Ａ２は縦框５５ｂの側面の開口部５８から縦框５５ｂ内に挿入され、正面板２１の上下の取り付け穴２４からビス５９を縦框５５ｂに螺入することより取り付けられる。
【００２５】
【発明の効果】
本発明は叙述の如く検知ユニットを支柱に取り付けるとき、支柱内に本体部が収納されて測定部だけが露出するように取り付けることができ、外に露出する部分が少なくフェンスと一体感があっても意匠性に優れた外観になるものであり、殊に測定部を支柱の天端キャップのような外観とすると、一層一体感があって意匠性に優れた外観となるものであり、しかも侵入者の侵入の有無を測距型センサーによる測距にて検出するようになっていると共に測定部に異方向の測距をする一対の測距型センサーを有し、一方の測距型センサーの光軸の向きが変えられるようになっていることにより、フェンスのコーナの支柱に１台の検知ユニットを取り付けるだけでフェンスのコーナ部分の検知ができるものである。
【図面の簡単な説明】
【図１】本発明の実施の形態の一例を示す斜視図である。
【図２】（ａ）は同上の検知ユニットの分解斜視図、（ｂ）は検知ユニットの測定部の分解斜視図、（ｃ）は測定部の斜視図である。
【図３】同上の検知ユニットの測定部の測距センサーの向きの調整を説明する斜視図である。
【図４】同上の検知ユニットのフェンスの支柱への取り付けを説明する分解斜視図である。
【図５】図４とは異なる方向から見た斜視図である。
【図６】（ａ）は同上の検知ユニットの測定部にフェンス用取り付け基板を取り付けた状態の斜視図、（ｂ）はフェンス押さえ具も取り付けた状態の斜視図である。
【図７】同上の測定部の断面図である。
【図８】同上の検知ユニットの本体部の他の方向から見た斜視図である。
【図９】同上の検知ユニットの測定部の分解斜視図である。
【図１０】同上のコーナ部検知体を設けた状態を説明する斜視図である。
【図１１】（ａ）（ｂ）は同上の検知ユニットの門扉への取り付けの一例を示す斜視図である。
【図１２】同上の検知ユニットを門扉に取り付けた状態を示す断面図である。
【図１３】（ａ）（ｂ）が同上の検知ユニットの門扉への取り付けの他例を示す斜視図である。
【符号の説明】
Ａ  検知ユニット
Ａ１  測定部
Ａ２  本体部
１  フェンス
３  支柱
４  測距型センサー
５  フェンス押さえ具
【図１】
2005016114.tif 000003
【図２】
2005016114.tif 000004
【図３】
2005016114.tif 000005
【図４】
2005016114.tif 000006
【図５】
2005016114.tif 000007
【図６】
2005016114.tif 000008
【図７】
2005016114.tif 000009
【図８】
2005016114.tif 000010
【図９】
2005016114.tif 000011
【図１０】
2005016114.tif 000012
【図１１】
2005016114.tif 000013
【図１２】
2005016114.tif 000014
【図１３】
2005016114.tif 000015